(57)【特許請求の範囲】
【請求項１】
シート収納箱に収納されたシートの少なくとも一方の面に被施術者の鼻に宛がう凹部である溝状の形状を付与する形状付与部と、
前記形状付与部を支持する支持部と、
前記支持部を前記シート収納箱に固定する固定部と、を備え、
前記形状付与部は、前記支持部上を移動可能であり、
前記形状付与部は、前記シートを挟持すると共に圧力を付与して、前記シートが引き出される際に前記シートに前記溝状の形状を付与し、
前記シート収納箱とは別部材である、シート形状付与具。
【請求項２】
前記形状付与部は、前記シートの引き出し方向に沿って前記シートの中央に前記溝状の形状を付与する請求項１に記載のシート形状付与具。
【請求項３】
前記形状付与部が、一の磁石を備える一の挟持部と、当該一の磁石と互いに引き寄せ合う強磁性体を備える他の挟持部と、を備える請求項１または２に記載のシート形状付与具。
【請求項４】
前記形状付与部が、付勢手段を有する挟持部を備える請求項１または２に記載のシート形状付与具。
【請求項５】
前記付勢手段が、バネである請求項４に記載のシート形状付与具。
【請求項６】
前記支持部が、前記シートを起立させるガイド部として形成されてなり、前記形状付与部が前記ガイド部に配設されて支持されている請求項１〜５のいずれか１項に記載のシート形状付与具。
【請求項７】
前記シートが、不織布である請求項１〜６のいずれか１項に記載のシート形状付与具。
【請求項８】
収納されたシートの少なくとも一方の面に被施術者の鼻に宛がう凹部である溝状の形状を付与する形状付与部と、
前記形状付与部を支持する支持部と、を備え、
前記形状付与部は、前記支持部とは別部材であって前記支持部上を移動可能であり、
前記形状付与部は、前記シートを挟持すると共に圧力を付与して、前記シートが引き出される際に前記シートに前記溝状の形状を付与するシート収納箱。
【発明の詳細な説明】
【技術分野】
【０００１】
本発明は、シート形状付与具及びシート収納箱に関し、更に詳しくは、理容店・サロン等で使用されるフェイス用シートに、顔面上に載置した際に留まり易い形状を与えることができるシート形状付与具及びシート収納箱に関する。
【背景技術】
【０００２】
理容店・サロン等では、施術者が被施術者の洗髪等を行う際に、被施術者の顔面上にフェイス用シート（以下、単に「シート」と記す場合がある）を載置して施術者等からの視線を外すという目的でフェイス用シートが使用されている。また、このフェイス用シートは、被施術者の顔面を保護する目的で使用されている。即ち、フェイス用シートは、施術者等が使用する薬液（例えば、シャンプーなど）が飛沫して被施術者の顔面に触れることなどを防止している。
【０００３】
しかし、このフェイス用シートは、通常、凹凸の少ない形状である。一方、顔面は、目、鼻、口等などの凹凸がある。そのため、単にフェイス用シートを顔面に載置した場合、凹凸のある顔面に十分にフィットし難く、施術者の動きによって生じた気流や、被施術者の微細な動きによって、最初に載置した位置からずれたり、落ちたりしてしまい易いという問題があった。
【０００４】
このように、フェイス用シートがずれたり落ちたりした場合には、施術者が何度もフェイス用シートの位置を修正したり、新しいシートを再度顔面に載置するという作業を行う必要があった。特に、洗髪液、薬液等の処理を行っている際には、一旦、手に付いた洗髪液等を洗い流す作業をする必要があった。そのため、一日に何度も手洗いを行った後、フェイス用シートの位置を修正したり、新しいシートを再度顔面に載置するという作業を行っており、時間的、効率的なロスが生じ、施術者にとって負担となっていた。
【０００５】
一方、顔面の凹凸に対応させ易く顔面上に留まらせ易いという観点から、フェイス用シートの代わりにフェイスタオルを用いることも行われている。しかし、フェイスタオルは、フェイス用シートに比べて重量があり、かつ、載置の状態によっては呼吸がし難く息苦しさを感じることがある。また、フェイスタオルは、フェイス用シートに比べて遮光性が大きく、被施術者に不安感を与える場合がある。
【０００６】
ここで、フェイス用シートとしては、予め顔面の凹凸に合せた形状が付与されているものが知られている（特許文献１参照）。
【先行技術文献】
【特許文献】
【０００７】
【特許文献１】特開平７−２４１３１２号公報
【発明の概要】
【発明が解決しようとする課題】
【０００８】
しかし、特許文献１に記載のフェースマスクは、凹凸がない通常のフェイス用シートに比べて１枚当たりのコストが大きい。更に、製造工程が複雑になる。また、例えば、形状を長期間維持しようとすると、パッキング等の工夫が必要となり、全体のコストが更に増加する。
【０００９】
本発明は、このような従来技術の有する問題点に鑑みてなされたものであり、その課題とするところは、理容店・サロン等で使用されるフェイス用シートに、顔面上に載置した際に留まり易い形状を与えることができるシート形状付与具及びシート収納箱を提供することにある。
【課題を解決するための手段】
【００１０】
［１］  シート収納箱に収納されたシートの少なくとも一方の面に被施術者の鼻に宛がう凹部である溝状の形状を付与する形状付与部と、前記形状付与部を支持する支持部と、
前記支持部を前記シート収納箱に固定する固定部と、を備え、前記形状付与部は、前記支持部上を移動可能であり、前記形状付与部は、前記シートを挟持すると共に圧力を付与して、前記シートが引き出される際に前記シートに前記溝状の形状を付与し、前記シート収納箱とは別部材である、シート形状付与具（第１のシート形状付与具）。
【００１１】
［１］  シート収納箱に収納されたシートの両面の少なくとも一方の面に溝状の形状を付与する形状付与部と、前記形状付与部を支持する支持部と、前記支持部を前記シート収納箱に固定する固定部と、を備え、前記形状付与部は、前記シートを挟持すると共に圧力を付与して、前記シートが引き出される際に前記シートに前記溝状の形状を付与するシート形状付与具（第１のシート形状付与具）。
【００１２】
［２］  前記形状付与部は、前記シートの引き出し方向に沿って前記シートの中央に前記溝状の形状を付与する前記［１］に記載のシート形状付与具。
【００１４】
［３］  前記形状付与部が、一の磁石を備える一の挟持部と、当該一の磁石と互いに引き寄せ合う強磁性体を備える他の挟持部と、を備える前記［１］または［２］に記載のシート形状付与具。
【００１５】
［４］  前記形状付与部が、付勢手段を有する挟持部を備える前記［１］または［２］に記載のシート形状付与具。
【００１６】
［５］  前記付勢手段が、バネである前記［４］に記載のシート形状付与具。
【００１７】
［６］  前記支持部が、前記シートを起立させるガイド部として形成されてなり、前記形状付与部が前記ガイド部に配設されて支持されている前記［１］〜［５］のいずれかに記載のシート形状付与具。
【００１８】
［７］  前記シートが、不織布である前記［１］〜［６］のいずれかに記載のシート形状付与具。
【００１９】
［８］  収納されたシートの少なくとも一方の面に被施術者の鼻に宛がう凹部である溝状の形状を付与する形状付与部と、
前記形状付与部を支持する支持部と、を備え、
前記形状付与部は、前記支持部とは別部材であって前記支持部上を移動可能であり、
前記形状付与部は、前記シートを挟持すると共に圧力を付与して、前記シートが引き出される際に前記シートに前記溝状の形状を付与するシート収納箱。
【発明の効果】
【００２２】
本発明のシート形状付与具は、形状付与部を備えるものであるため、理容店・サロン等で使用されるフェイス用シートに、顔面上に載置した際に留まり易い形状を与えることができる。
【００２３】
本発明のシート収納箱は、形状付与部を有するため、理容店・サロン等で使用されるフェイス用シートに、顔面上に載置した際に留まり易い形状を与えることができる。
【図面の簡単な説明】
【００２４】
【図１】本発明の第１のシート形状付与具の一の実施形態を模式的に示す斜視図である。
【図２】本発明の第１のシート形状付与具の一の実施形態の使用状態を模式的に示す斜視図である。
【図３】本発明の第１のシート形状付与具の他の実施形態の使用状態を模式的に示す斜視図である。
【図４】本発明の第１のシート形状付与具の更に他の実施形態の使用状態を模式的に示す側面図である。
【図５】本発明の第１のシート形状付与具の更に他の実施形態の使用状態を模式的に示す斜視図である。
【図６】本発明のシート収納箱の一の実施形態を模式的に示す斜視図である。
【図７】第２のシート形状付与具の一の実施形態を模式的に示す斜視図である。
【図８】第３のシート形状付与具の一の実施形態を模式的に示す斜視図である。
【発明を実施するための形態】
【００２５】
以下、本発明の実施の形態について説明するが、本発明は以下の実施の形態に限定され
るものではなく、本発明の趣旨を逸脱しない範囲で、当業者の通常の知識に基づいて、以
下の実施の形態に対し適宜変更、改良等が加えられたものも本発明の範囲に入ることが理
解されるべきである。
【００２６】
［１］第１のシート形状付与具：
本発明のシート形状付与具の一の実施形態は、図１に示すシート形状付与具１００である。このシート形状付与具１００は、シート収納箱１に収納されたシート４０の少なくとも一方の面に溝状の形状を付与する形状付与部１０と、この形状付与部１０を支持する支持部２０と、この支持部２０をシート収納箱１に固定する固定部３０と、を備えている。そして、形状付与部１０は、シート４０を挟持すると共に圧力を付与して、シート４０が引き出される際にシート４０に溝状の形状を付与する。
【００２７】
このように構成されるシート形状付与具１００は、形状付与部１０を備えるものであるため、理容店・サロン等で使用されるフェイス用シートに、顔面上に載置した際に留まり易い形状を与えることができる。
【００２８】
「シート」は、理容店・サロン等で使用されるフェイス用シートのことであり、例えば、不織布、紙などを挙げることができる。なお、通常は、不織布が使用されている。不織布を用いると、外力が加えられたときに変形して溝状の凹部が形成され易い。
【００２９】
また、シートは、複数枚が積層された状態（シート束の状態）でシート収納箱内に収納されている。なお、このシート収納箱は、複数枚のフェイス用シートが収納されている市販品を用いることができる。
【００３０】
［１−１］形状付与部：
形状付与部１０は、シート収納箱１に収納されたシート４０の少なくとも一方の面に溝状の形状を付与する部材である。即ち、形状付与部１０は、シート４０を挟持すると共に圧力を付与して、シート４０が引き出される際にシート４０に溝状の形状（凹状）を付与するものである。なお、形状付与部１０は、支持部２０に固定されていてもよいし、固定されていなくてもよい。形状付与部１０を支持部２０に固定する方法としては、接着剤を用いる方法や、形状付与部を支持部に埋め込む方法などを挙げることができる。なお、図２中、シート４０は、説明の都合上、透明のものとして描いている。
【００３１】
形状付与部１０は、シートの引き出し方向に沿ってシートの中央に溝状の形状を付与するようにすることができる。このようにシートの中央に溝状の形状を付与すると、上を向いた状態の被施術者の顔面上にフェイス用シートを載置したとき、このシートが落ち難く、また、被施術者の顔面を良好に覆うことができる。つまり、形状付与部１０は、被施術者の鼻に宛がうことができる溝状の形状（凹部）を形成する。
【００３２】
形状付与部１０は、支持部２０上を移動可能とすることができる。このようにすると、形状付与部１０の位置を調整することができる。そのため、例えば、シート形状付与具１００をシート収納箱に固定した後（シート形状付与具１００の位置を決めた後）であっても、シート収納箱のシート取出口の位置に合わせて形状付与部１０を移動させて、その位置を調整することができる。図２に示すシート形状付与具１０１は、支持部２０上に、形状付与部１０の移動を可能にする溝２１（移動可能機構）が形成されている。このように、本発明においては、形状付与部が支持部上を移動可能にするための移動可能機構を備えることができる。この移動可能機構は、形状付与部が支持部上で位置を決められた後に、形状付与部がずれてしまうことを防止する位置ずれ防止手段を有することができる。図２において、溝２１のうち、シート４０の引き出し方向に延びる分岐溝２１ａは、形状付与部１０を同程度の大きさに形成されており、この分岐溝２１ａ（位置ずれ防止手段）に形状付与部１０を配置することにより、形状付与部１０の位置がずれてしまうことを防止できる。
【００３３】
なお、「支持部上を移動可能」とは、支持部上を、上下左右斜めに自在に移動可能という意味である。
【００３４】
形状付与部１０は、一の磁石１１ａを備える一の挟持部１１と、当該一の磁石１１ａと互いに引き寄せ合う強磁性体を備える他の挟持部１１と、を備えるものとすることができる。このようにすると、溝状の形状を付与するために適度な圧力をシートに加えることができる。また、仮に、１枚のシートを引き出した後、次のシートがシート収納箱から引き出されずに箱の中に落ち込んでしまった際にも簡単に箱の中から取出すことができ、次のシートを形状付与部１０に挟持させることができる。図１に示すシート形状付与具１００は、形状付与部１０として一対の磁石１１ａを備える一対の挟持部１１を備えるものである。なお、一の挟持部１１は、支持部２０上に固定された板状の強磁性体（例えば鉄などの金属）と、この強磁性体上に配置される一の磁石１１ａとを備えるものであってもよい。また、他の挟持部１１は、支持部２０上に固定された板状の強磁性体（例えば鉄などの金属）と、この強磁性体上に配置される磁石と、を備えるものでもよい。磁石は、シートに、被施術者の鼻に宛がうことができる溝状の形状（凹部）を形成できる限りその形状や大きさについては特に制限はなく適宜設定することができる。磁石の形状としては、例えば、球体状、円柱状、角柱状などとすることができる。
【００３５】
「強磁性体」とは、磁石と互いに引き寄せ合う性質を有するものを意味し、例えば、鉄などの金属、磁石などを挙げることができる。即ち、一方の挟持部には、磁石を備え、他方の挟持部には、磁石を備えても良いし、鉄などの金属を備えてもよい。
【００３６】
形状付与部は、付勢手段を有する挟持部１１を備えるものとすることができる。図４に示すシート形状付与具１０２は、形状付与部１０として、コイルバネ１１ｂからなる付勢手段を有する挟持部１１を備えるものである。
【００３７】
「付勢手段」とは、シートを挟持すると共に圧力を付与することができる構造を有するものを意味する。例えば、板バネ、コイルバネなどのバネからなる付勢部材は、付勢手段の一例である。また、例えば、クリップなどにおいてバネ性を発揮している部分も、付勢手段に該当する。即ち、例えばクリップなどは、付勢手段を有しつつ、物を挟持することができるため、「付勢手段を有する挟持部」に該当する。
【００３８】
付勢手段としては、バネとすることができる。付勢手段としてバネを採用すると、必要に応じて簡単にシートを挟持する圧力を調整することができる。
【００３９】
［１−２］支持部：
支持部２０は、形状付与部１０を支持する部材である。この支持部２０で形状付与部１０を支持することにより、形状付与部からシートに圧力を加えて、このシートに溝状の形状を付与することができる。
【００４０】
本発明の第１のシート形状付与具において「形状付与部を支持する」とは、シート収納箱の上方の所望の位置に配置されるように形状付与部を維持することを意味する。支持部によって形状付与部を支持することで、特にシート収納箱から、その高さ方向に所定の距離だけ離れた位置に形状付与部を配置することができる。
【００４１】
支持部２０は、図１、図２に示すように、一対の柱状（棒状）の部材からなるものとすることができる。図１に示すシート形状付与具１００は、形状付与部１０と支持部２０とがいわゆるボールジョイント構造により連結されており、形状付与部１０の角度を所望の角度に適宜調節することができる。このような構成とすることで、形状付与部からシートに加わる圧力が適切となるように調節することができる。
【００４２】
なお、支持部は、図１に示すものに限らず、形状付与部１０を支持することができる部材であればよい。図３に示すシート形状付与具１００は、一対の板状の部材からなる支持部２０を備えるものを示している。
【００４３】
支持部２０は、図３に示すように、シートを起立させるガイド部２０ａとして形成されてなり、形状付与部１０をこのガイド部２０ａに配設されて支持されるように配置することができる。ガイド部２０ａの長さ、高さ、厚さなどは特に制限はなく適宜調節することができるが、例えば、ガイド部２０ａの長さは、図３に示すように、シート収納箱１の長手方向の長さより短くする（シートの取出口の長手方向の長さと同じとする）ことでもよいし、図５に示すように、シート収納箱の長手方向の長さと同じとすることができる。なお、「長手方向の長さと同じ」とは、厳密な意味での「同じ」ではなく、多少長くても短くてもよい。
【００４４】
なお、支持部２０であるガイド部２０ａは、その長手方向の中央部における高さが他の部分の高さよりも高くなるように形成することができる。このように形成することにより、形状付与部１０を配置可能な領域が広くなり、シートに対して溝状の形状をより良好に付与できる位置に、形状付与部１０を配置できるようになる。
【００４５】
支持部は、形状付与部を支持できるものである限り形状や材質などに特に制限はない。支持部の材質としては、ゴム、合成樹脂、金属、紙、木材などを挙げることができる。
【００４６】
［１−３］固定部：
固定部３０は、支持部２０をシート収納箱に固定する部材であり、支持部２０をシート収納箱に着脱自在に固定する部材であることがよい。この固定部３０によって支持部２０がシート収納箱に固定されると、形状付与部１０もシート収納箱から脱落しないように維持されることになる。そして、フェイス用シートをシート収納箱から取り出す際に、シートを引っ張る力によってシート形状付与具自体がシート収納箱から離れてしまう（シート形状付与具が浮いてしまう）ことを防止でき、シートに溝状の形状を付与することができる。
【００４７】
固定部は、支持部をシート収納箱に固定できるものである限り形状や材質などに特に制限はない。固定部の材質としては、ゴム、合成樹脂、金属、紙、木材、布などを挙げることができる。
【００４８】
固定部は、シート収納箱の外周を１周りする環状のもの（図１〜図３参照）であってもよいし、シート収納箱の底面を掴むことができる鉤状のものであってもよい。更に、固定部は、シート収納箱の上面に吸い付くような吸盤であってもよし、剥離可能な粘着面を有する粘着材であってもよい。また、シート収納箱の、少なくとも上面（シートの取出口が形成されている面）を覆う形状であってもよく、上面、側面、及び底面を覆う形状であってもよい。図５に示すシート形状付与具１０３は、固定部３０が、シート収納箱の、上面、側面（全ての側面）、及び底面（即ち、シート収納箱の全ての面）を覆う形状である例を示している。なお、図５に示すシート形状付与具１０３において固定部３０は、長方形状の底面とこの底面から起立する４つの側面とからなる有底状の四角筒状体を有し、この四角筒状体の長手方向の一対の側面から延びる一対の平板（上面となるもの）を有している。そして、シート形状付与具１０３内には、シート収納箱が収納されている。シート形状付与具１０３は、上記一対の平板（上面）を開くことにより、シート収納箱を出し入れすることができる。シート形状付与具１０３には、固定部３０の一対の平板（上面）に連なるようにガイド部２０ａ（支持部２０）が形成されている。
【００４９】
また、固定部が硬質の材料からなる場合、固定部を構成する各構成部材は、互いにヒンジ構造により連結し、自在に可動できるものとすることができる。図１に示すシート形状付与具１００は、５本の棒状部材からなり、各棒状部材は、互いにヒンジ構造により連結して自在に可動である例を示している。なお、固定部を構成する構成部材は、棒状部材に限られず、図２に示すような帯状であってもよいし、他の形状であってもよい。
【００５０】
本発明のシート形状付与具は、上記構造を有する限り形状及び寸法は特に限定されるものではないが、手等で抑えたときなどに扱い易い形状、寸法であることが好ましい。
【００５１】
［２］シート収納箱：
本発明のシート収納箱の一実施形態は、図６に示すシート収納箱２００である。シート収納箱２００は、収納されたシート４０の少なくとも一方の面に溝状の形状を付与する形状付与部１０と、形状付与部１０を支持する支持部２０と、を備えている。そして、形状付与部１０は、引き出されたシート４０を挟持すると共に圧力を付与して、シート４０が引き出される際にシート４０に溝状の形状を付与する。
【００５２】
このように構成されることにより、シート収納箱２００は、シートに対して、顔面上に載置した際に留まり易い凹部状の形状を与えることができる。
【００５３】
本発明のシート収納箱は、図６に示すシート収納箱２００のように、４つの側面と、シート取出口が形成されている上面と、この上面に対向する底面と、を有している。
【００５４】
なお、本発明のシート収納箱は、４つの側面と、シート取出口が形成されている上面とを有するもの（図６に示すシート収納箱２００において底面がないもの）であってもよい。即ち、本発明のシート収納箱は、複数枚のフェイス用シートが積層された状態で収納された収納箱を更に収納する、いわゆる化粧箱のようなものであってもよい。
【００５５】
本発明のシート収納箱は、その形状は特に制限はなく、図６に示すシート収納箱２００のように四角柱状であってもよいし、その他の形状であってもよい。
【００５６】
本発明のシート収納箱は、複数枚のフェイス用シートが積層されたシート束を内部に収納した「フェイス用シート入り収納箱」であってもよい。
【００５７】
なお、本発明のシート収納箱は、これまで説明した、シート形状付与具と同様の特徴を有するものである。即ち、本発明のシート収納箱は、シート形状付与具の固定部に代えて、シートを収納するための箱状の本体を備えている。
【００５８】
シート形状付与具、及び、支持部は、上述した本発明の第１のシート形状付与具と同様のものを採用することができる。
【００５９】
［３］第２のシート形状付与具：
本発明のシート形状付与具（第２のシート形状付与具）の一の実施形態は、図７に示すシート形状付与具３００である。このシート形状付与具３００は、シート収納箱１に収納されたシート４０の少なくとも一方の面に溝状の形状を付与する形状付与部１０と、この形状付与部１０を支持する支持部２０と、この支持部２０をシート収納箱１に固定する固定部３０と、を備えている。そして、形状付与部１０は、凸部状に形成された部材である。このようなシート形状付与具３００は、シートを引き出す際にシートを形状付与部１０に接触させて、シート４０が引き出された際にシート４０に溝状の形状を付与する。
【００６０】
このように構成されるシート形状付与具３００は、シート４０に対して、顔面上に載置した際に留まり易い凹部状の形状を与えることができる。また、シート形状付与具３００は、シートに所望の長さの凹部が形成された段階で、使用者の意図により、フェイス用シート４０と形状付与部１０とが接触しないようにすることができる。そのため、フェイス用シート４０に付与する凹部の長さを調整することができる。
【００６１】
［３−１］形状付与部：
形状付与部は、凸部状に形成された部材である。「凸部状に形成された」とは、先端及び基端を有するものとして構成されることを意味する。この凸部状の先端の形状は、特に制限されることはなく、フェイス用シートの表面を引っ掻き、適度な凹部（溝状の形状）を形成することができればよい。
【００６２】
凸部状に形成された形状付与部が、フェイス用シートに溝状の形状（凹部）を付与するメカニズムは以下の通りである。先ず、フェイス用シートがシート収納箱の取出口から引き出される際に（取り出される際に）、凸部がフェイス用シートの表面に当たりながら引き出されることになる。すなわち、凸部がフェイス用シートの当該表面に当たりながら（接触しながら）引き出されることで、フェイス用シートの当該表面を形状付与部が引っ掻きながら、シートの表面を適度に引き延ばしていく。そのため、取出口からフェイス用シートが完全に引き出された際には、フェイス用シートの表面に適度な凹部（溝状の形状）が形成されることになる。そして、使用時に当該凹部を顔面の鼻筋方向に合うように乗せることで、フェイス用シートが安定載置されることになる。
【００６３】
［３−２］支持部：
支持部２０は、形状付与部１０を支持する部材である。本発明のシート形状付与具（第２のシート形状付与具）において支持部２０は、形状付与部１０と固定部３０とを繋ぐ部材である。この支持部２０の高さは、特に制限はないが、低い方がよい。支持部２０の高さを低くすることで、より確実にシートに溝状の形状を付与することができる。本発明のシート形状付与具（第２のシート形状付与具）においては、シートを挟んで形状付与部に対向する位置に、形状付与部の機能（フェイス用シートの表面を引っ掻きながら、シートの表面を適度に引き延ばしていくことで、フェイス用シートの表面に適度な凹部を形成する機能）を補助するための補助部材を配置してもよい。
【００６４】
［３−３］固定部：
固定部３０は、支持部２０をシート収納箱１に固定する部材であり、支持部２０をシート収納箱に着脱自在に固定する部材であることがよい。この固定部３０によって支持部２０がシート収納箱に固定され、形状付与部１０もシート収納箱から脱落しないように維持される。そして、フェイス用シートをシート収納箱から取り出す際に、シートを引っ張る力によってシート形状付与具自体がシート収納箱から離れてしまうことを防止できる。
【００６５】
固定部は、シート収納箱の外周を１周りする環状のものであってもよいし、シート収納箱の底面を掴むことができる鉤状のものであってもよい。更に、固定部は、シート収納箱の上面に吸い付くような吸盤であってもよし、剥離可能な粘着面を有する粘着材であってもよい。
【００６６】
［４］第３のシート形状付与具：
本発明のシート形状付与具（第３のシート形状付与具）の一の実施形態は、図８に示すシート形状付与具３０１である。このシート形状付与具３０１は、シート収納箱１に収納されたシート４０の少なくとも一方の面に溝状の形状を付与する形状付与部１０と、この形状付与部１０を支持する支持部２０と、を備えている。そして、シート形状付与具１００は、形状付与部１０と支持部２０とから、シート収納箱１に固定する固定部３０が構成されてなる。形状付与部１０は、凸部状に形成された部材であり、シートを引き出す際にシートを形状付与部１０に接触させて、シートが引き出された際にシートに前記溝状の形状を付与する。
【００６７】
このように構成されるシート形状付与具３０１は、形状付与部１０を備えるものであるため、理容店・サロン等で使用されるフェイス用シートに、顔面上に載置した際に留まり易い形状を与えることができる。また、シート形状付与具３０１は、シートに所望の長さの凹部が形成された段階で、使用者の意図により、フェイス用シート４０と形状付与部１０とが接触しないようにすることができる。そのため、フェイス用シート４０に付与する凹部の長さを調整することができる。
【００６８】
本発明のシート形状付与具（第３のシート形状付与具）において、フェイス用シートに凹部状の形状を付与するメカニズムは、第２のシート形状付与具と同様である。また、本発明のシート形状付与具（第３のシート形状付与具）において、各構成要素（形状付与部、支持部）の材質は、特に制限はなく、例えば、合成樹脂、金属、紙、木材などを採用することができる。
【００６９】
なお、本発明のシート形状付与具（第３のシート形状付与具）は、図８に示すシート形状付与具３０１のように、形状付与部１０及び支持部２０が一体に成形されたものであり、固定部３０は、形状付与部１０及び支持部２０から構成される。このシート形状付与具３０１は、例えば、１つの金型から一体として成形することができる。
【００７０】
シート形状付与具３０１は、図８に示すように、側面から見た形状が全体としてコの字状をなし、このような形状であることでシート収納箱１に嵌って固定部として機能する。なお、「コの字状」とは、厳密な意味ではない。
【００７１】
シート形状付与具３０１は、図８に示すように、その底板５０（支持部２０の一部）と上板５１（形状付与部１０）との間の距離がシート収納箱１の厚さと同程度となるようにすることができる。このようにすることで、シート形状付与具３０１がシート収納箱１と良好に嵌り合うことができる。更に、シート４０をシート収納箱１から引き出した際に、形状付与部１０とシート４０とが良好に接触して、シート４０に凹部を適切に付与することができる。なお、第３のシート形状付与具は、その底板（支持部の一部）と上板（形状付与部）との間の距離がシート収納箱の厚さよりも大きくてもよい。
【００７２】
本発明のシート形状付与具（第３のシート形状付与具）における形状付与部の先端部は、特に制限はなく適宜設定することができる。例えば、本発明のシート形状付与具（第３のシート形状付与具）をシート収納箱に固定した場合に（図８参照）、本発明のシート形状付与具（第３のシート形状付与具）は、その形状付与部１０の先端部が、シート収納箱１におけるシート４０の取出口２の一部を覆うものとすることができる。特に、形状付与部１０の先端部が、シート４０の取出口２に配置されたフィルム３のスリット３ａを跨ぐように構成することができる。このように構成することにより、シート４０をシート収納箱１から引き出した際に、形状付与部１０とシート４０とが更に良好に接触して、形状付与部１０がシート４０の表面を引っ掻きながら、シート４０に良好に凹部を付与することができる。
【００７３】
なお、本発明のシート形状付与具（第３のシート形状付与具）は、図８に示すように、シート収納箱の長手方向の側面側から、当該シート収納箱に固定する。本発明のシート形状付与具（第３のシート形状付与具）は、通常、シート収納箱に着脱可能に固定する。
【００７４】
本発明のシート形状付与具（第３のシート形状付与具）は、幅（シート収納箱に固定した場合における、シート収納箱の長手方向と同じ方向の長さ）や厚みについて特に制限はなく適宜設定することができる。
【００７５】
［５］第１のシート形状付与具の使用方法：
シート形状付与具を用意し、このシート形状付与具を、フェイス用シートが積層された状態で収納された「フェイス用シート入り収納箱」に装着する。なお、シート形状付与具を装着する際には、フェイス用シート入り収納箱のシート取出口を開口させておくことがよい。次に、フェイス用シート入り収納箱のシート取出口から１枚のフェイス用シートを引き出す。このとき、フェイス用シートを少し引き出した後、引き出された部分を形状付与部によって挟持させる。その後、１枚のフェイス用シートの全部を引き出すと、このシートの少なくとも一方の面には、溝状の形状（凹部）が付与される。そして、顔面の鼻筋方向に凹部が相当するようにして、フェイス用シートを顔面に載置することができる。このような手順により顔面に載置されたフェイス用シートは、洗髪時などにおいて、ずれたり、落ちたりするおそれが少ない。
【００７６】
そして、フェイス用シート入り収納箱内のフェイス用シートが無くなった際には、シート形状付与具をフェイス用シート入り収納箱から取り外し、新たなフェイス用シート入り収納箱に装着して使用することができる。
【００７７】
［６］第２、３のシート形状付与具の使用方法：
シート形状付与具を用意し、このシート形状付与具を、フェイス用シートが積層された状態で収納された「フェイス用シート入り収納箱」に装着する。なお、シート形状付与具を装着する際には、フェイス用シート入り収納箱のシート取出口を開口させておくことがよい。次に、フェイス用シート入り収納箱のシート取出口から１枚のフェイス用シートを引き出す。このとき、凸部状に形成された形状付与部の凸部状の部分に押し当てながらフェイス用シートを引き出す。このように形状付与部の凸部状の部分に押し当てながら１枚のフェイス用シートの全部を引き出すと、このシートの少なくとも一方の面には、溝状の形状（凹部）が付与される。そして、顔面の鼻筋方向に凹部が相当するようにして、フェイス用シートを顔面に載置することができる。
【００７８】
［７］シート収納箱の使用方法：
シート収納箱の上面に形成されたシート取出口用の環状のミシン目を破って、シート取出口を形成する。次に、フェイス用シート入り収納箱のシート取出口から１枚のフェイス用シートを引き出す。このとき、フェイス用シートを少し引き出した後、引き出された部分を形状付与部によって挟持させる。その後、１枚のフェイス用シートの全部を引き出すと、このシートの少なくとも一方の面には、溝状の形状（凹部）が付与される。そして、顔面の鼻筋方向に凹部が相当するようにして、フェイス用シートを顔面に載置することができる。
【産業上の利用可能性】
【００７９】
本発明のシート形状付与具及び本発明のシート収納箱は、理容店・サロン等において、洗髪時や施術時に、被施術者の顔面上に載置するためのフェイス用シートを安定して顔面上に載置できる形状を付与するものとして利用することができる。
【符号の説明】
【００８０】
１，２００：シート収納箱、２：取出口、３：フィルム、３ａ：スリット、１０：形状付与部、１１：挟持部、１１ａ：磁石、１１ｂ：コイルバネ、２０：支持部、２０ａ：ガイド部、２１：溝、２１ａ：分岐溝、３０：固定部、４０：シート、５０：底板、５１：上板、１００，１０１，１０２，１０３，３００，３０１：シート形状付与具。
【図１】
0006795750.tif 000002
【図２】
0006795750.tif 000003
【図３】
0006795750.tif 000004
【図４】
0006795750.tif 000005
【図５】
0006795750.tif 000006
【図６】
0006795750.tif 000007
【図７】
0006795750.tif 000008
【図８】
0006795750.tif 000009